(57)【要約】【課題】塗装面への影響を十分に低減でき、簡単にかつ短時間で拭き取ることができるとともに、優れた透明性を有する塗装面用洗浄剤を提供すること。【解決手段】塗装面用洗浄剤として、グリセリンと、低粘度のグリコール（１）と、界面活性剤と、アルカリ剤とを含有させる。本発明の塗装面用洗浄剤によれば、塗装面への影響を十分に低減することができる。そのため、布などの洗浄具によって拭き取った後に、水洗する必要がないので、簡易な方法で洗浄することができる。また、本発明の塗装面用洗浄剤によれば、洗浄具と塗装面との滑り性および洗浄力が優れている。そのため、作業者が簡単にかつ短時間で拭き取ることができる。2008184604.tif 000007【選択図】なし【特許請求の範囲】
【請求項１】
グリセリンと、下記一般式（１）で示される低粘度のグリコールと、界面活性剤と、アルカリ剤とを含有することを特徴とする、塗装面用洗浄剤。
【化１】
2008184604.tif 000006
（一般式（１）中、ｎは２または３を示し、ｍは１〜３の整数を示す。）
【請求項２】
前記アルカリ剤が、モノエタノールアミンであることを特徴とする、請求項１に記載の塗装面用洗浄剤。
【請求項３】
前記グリコールが、プロピレングリコールであることを特徴とする、請求項１または２に記載の塗装面用洗浄剤。
【請求項４】
前記グリセリンの重量部数が、前記グリコールの重量部数に対して、小さいことを特徴とする、請求項１〜３のいずれかに記載の塗装面用洗浄剤。
【請求項５】
前記界面活性剤の配合割合が、２．０重量％以下であることを特徴とする、請求項１〜４のいずれかに記載の塗装面用洗浄剤。
【請求項６】
前記グリセリンと前記グリコールとの総量の配合割合が、１０重量％以下であることを特徴とする、請求項１〜５のいずれかに記載の塗装面用洗浄剤。
【発明の詳細な説明】
【技術分野】
【０００１】
本発明は、塗装面用洗浄剤、詳しくは、自動車などの車両の塗装面の洗浄に用いられる塗装面用洗浄剤に関する。
【背景技術】
【０００２】
従来より、自動車など車両の塗装面においては、洗浄剤を用いて、塗装面を洗浄することにより、その塗装面に付着する汚れを除去している。
また、このような洗浄剤では、通常、塗装面を布などで拭いた後、残存する洗浄剤が塗装面へ影響することを低減するために、水洗する必要がある。
そのため、例えば、塗装面への影響が低減された洗浄剤として、例えば、グリセリン、エチレングリコール、界面活性剤、下記一般式（２）で示されるアルキルグルコシドおよび水を含有する水系自動車塗膜用洗浄剤が提案されている（例えば、特許文献１参照。）。
【０００３】
【化１】
2008184604.tif 000002
（一般式（２）中、ｎは８〜１６、１＜ｘ＜２である。）
【特許文献１】特開平１０−１４７７９１号公報（実施例８）
【発明の開示】
【発明が解決しようとする課題】
【０００４】
しかし、特許文献１に記載される水系自動車塗膜用洗浄剤では、塗装面への影響が十分に低減されておらず、やはり水洗が必要である。
また、特許文献１に記載される水系自動車塗膜用洗浄剤では、高粘度のアルキルグルコシドを含有するため、洗浄剤が乾燥して水分が揮発し、固形分濃度が高くなると、布などで拭き取る場合には、布と塗装面との滑り性が低下する。そのため、広い面積の塗装面などを拭き取るには、労力を必要とするため、作業者が簡単にかつ短時間で拭き取ることができないという不具合がある。
【０００５】
本発明の目的は、塗装面への影響を十分に低減でき、簡単にかつ短時間で拭き取ることができるとともに、優れた透明性を有する塗装面用洗浄剤を提供することにある。
【課題を解決するための手段】
【０００６】
上記目的を達成するために、本発明の塗装面用洗浄剤は、グリセリンと、下記一般式（１）で示される低粘度のグリコールと、界面活性剤と、アルカリ剤とを含有することを特徴としている。
【０００７】
【化２】
2008184604.tif 000003
（一般式（１）中、ｎは２または３を示し、ｍは１〜３の整数を示す。）
【０００８】
また、本発明の塗装面用洗浄剤では、前記アルカリ剤が、モノエタノールアミンであることが好適である。
また、本発明の塗装面用洗浄剤では、前記グリコールが、プロピレングリコールであることが好適である。
【０００９】
また、本発明の塗装面用洗浄剤では、前記グリセリンの重量部数が、前記グリコールの重量部数に対して、小さいことが好適である。
また、本発明の塗装面用洗浄剤では、前記界面活性剤の配合割合が、２．０重量％以下であることが好適である。
また、本発明の塗装面用洗浄剤では、前記グリセリンと前記グリコールとの総量の配合割合が、１０重量％以下であることが好適である。
【発明の効果】
【００１０】
本発明の塗装面用洗浄剤によれば、塗装面への影響を十分に低減することができる。そのため、布などの洗浄具によって拭き取った後に、水洗する必要がないので、簡易な方法で洗浄することができる。
また、本発明の塗装面用洗浄剤では、洗浄具と塗装面との滑り性および洗浄力が優れている。そのため、作業者が簡単にかつ短時間で拭き取ることができる。
また、本発明の塗装面用洗浄剤は、優れた透明性を有している。
【発明を実施するための最良の形態】
【００１１】
本発明の塗装面用洗浄剤は、グリセリンと、下記一般式（１）で示される低粘度のグリコールと、界面活性剤と、アルカリ剤とを含有している。
【００１２】
【化３】
2008184604.tif 000004
（一般式（１）中、ｎは２または３を示し、ｍは１〜３の整数を示す。）
【００１３】
本発明の塗装面用洗浄剤におけるグリコールは、その粘度が、２５℃において、例えば、８０ｍＰａ・ｓ以下、好ましくは、５０ｍＰａ・ｓ以下、通常、２０ｍＰａ・ｓ以上である。なお、２５℃における粘度は、Ｂ型粘度計にて測定することができる。
また、上記一般式（１）中、ｍは、好ましくは、１または２である。ｍが上記した範囲を超えると、塗装面用洗浄剤の滑り性が低下したり、拭取時間が長くなる場合がある。
【００１４】
このようなグリコールとしては、より具体的には、エチレングリコール、プロピレングリコール、ジエチレングリコール、ジプロピレングリコール、トリエチレングリコール、トリプロピレングリコールなどが挙げられる。
好ましくは、粘度の観点から、エチレングリコール（２１ｍＰａ・ｓ＜２５℃＞）、プロピレングリコール（４８．６ｍＰａ・ｓ＜２５℃＞）、ジエチレングリコール（４１ｍＰａ・ｓ＜２５℃＞）が挙げられる。さらに好ましくは、プロピレングリコールが挙げられる。
【００１５】
本発明の塗装面用洗浄剤において、グリセリンおよびグリコールの配合割合では、グリセリンの重量部数が、グリコールの重量部数に対して、小さく、より具体的には、グリコール１００重量部に対して、例えば、１００重量部未満、好ましくは、９０重量以下、通常、３０重量部以上である。グリセリンの重量部数が、グリコールの重量部数に対して、同じかまたは大きいと、滑り性が低下したり、拭取時間が長くなる場合がある。
【００１６】
また、グリセリンの配合割合は、塗装面用洗浄剤に対して、例えば、０．１〜５．０重量％、好ましくは、０．５〜２．０重量％であり、グリコールの配合割合は、例えば、０．２〜８．０重量％、好ましくは、０．６〜４．０重量％である。
また、グリセリンとグリコールとの総量の配合割合は、塗装面用洗浄剤に対して、例えば、１０重量％以下、好ましくは、３．０重量％以下、通常、１．０重量％以上である。グリセリンとグリコールとの総量の配合割合が上記した１０重量％を超えると、滑り性が低下したり、拭取時間が長くなる場合がある。
【００１７】
本発明の塗装面用洗浄剤は、上記したグリセリンおよび低粘度のグリコールを含有しているので、滑り性が向上され、また、拭取後に残存しにくく、また、たとえ、残存しても、降雨などの水によって、洗い落とす（すすぐ）ことができる。
とりわけ、上記した配合割合でグリセリンおよび低粘度のグリコールを配合すれば、塗装面への影響をより一層低減できながら、滑り性をより一層向上させて、拭取時間を短縮することができる。
【００１８】
界面活性剤としては、例えば、アニオン性界面活性剤、カチオン性界面活性剤、両性界面活性剤、ノニオン性界面活性剤などが挙げられ、好ましくは、アニオン性界面活性剤が挙げられる。
アニオン性界面活性剤としては、例えば、脂肪酸石鹸、例えば、ラウリル硫酸ナトリウム、ラウリル硫酸アンモニウムなどのラウリル硫酸系化合物、例えば、ドデシルベンゼンスルホン酸ナトリウムなどのドデシルベンゼンスルホン酸系化合物、例えば、ポリオキシエチレンラウリル硫酸ナトリウムなどのポリオキシエチレンラウリル硫酸系化合物、例えば、ポリオキシエチレンアルキルエーテル硫酸ナトリウムなどのポリオキシエチレンアルキルエーテル硫酸系化合物、例えば、ポリオキシエチレンアルキルフェニルエーテル硫酸ナトリウム、ポリオキシエチレンアルキルフェニルエーテル硫酸アンモニウムなどのポリオキシエチレンアルキルフェニルエーテル硫酸系化合物、例えば、スルホコハク酸系化合物などが挙げられる。これらアニオン性界面活性剤は、単独使用または２種以上併用することができる。
【００１９】
好ましくは、脂肪酸石鹸が挙げられ、このような脂肪酸石鹸は、脂肪酸のアルカリ塩であって、このような塩を形成する脂肪酸としては、例えば、ウンデシル酸、ラウリル酸、トリデシル酸、ミリスチン酸、ペンタデシル酸、パルミチン酸、ヘプタデシル酸、ステアリン酸、ノナデカン酸などの飽和脂肪酸、例えば、ウンデシレン酸、オレイン酸、エライジン酸、リノール酸、リノレン酸などの不飽和脂肪酸、例えば、牛脂、椰子油、ひまし油、パーム油などの飽和脂肪酸と不飽和脂肪酸との混合脂肪酸などが挙げられる。これら脂肪酸は、単独使用または２種以上併用することができる。これら脂肪酸のうち、好ましくは、椰子油などが挙げられる。
【００２０】
脂肪酸石鹸のアルカリ塩としては、例えば、アンモニウム塩、アミン塩などの有機アルカリ塩、例えば、ナトリウム塩、カリウム塩などの無機アルカリ塩が挙げられる。これらアルカリ塩は、単独使用または２種以上併用することができる。好ましくは、アミン塩が挙げられる。
アミン塩としては、例えば、モノエタノールアミン（ＭＥＡ）塩、ジエタノールアミン（ＤＥＡ）塩、トリエタノールアミン（ＴＥＡ）塩などが挙げられる。これらアミン塩のうち、好ましくは、モノエタノールアミン（ＭＥＡ）塩が挙げられる。
【００２１】
より具体的には、脂肪酸石鹸としては、椰子脂肪酸モノエタノールアミン塩、椰子脂肪酸ナトリウム塩などが挙げられる。
本発明の塗装面用洗浄剤において、界面活性剤の配合割合は、塗装面用洗浄剤に対して、例えば、３．０重量％以下に設定することもできるが、好ましくは、２．０重量％以下、通常、１．０重量％以上に設定する。界面活性剤の配合割合が２．０重量％以下であると、簡便に拭き取ることができ、１．０重量％以上であると、洗浄力を安定させることができる。
【００２２】
本発明の塗装面用洗浄剤は、上記した界面活性剤を含有しているので、洗浄力が向上されている。
アルカリ剤としては、例えば、有機アルカリ、無機アルカリなどが挙げられる。
有機アルカリとしては、例えば、アンモニア、例えば、モノエタノールアミン（ＭＥＡ）、ジエタノールアミン（ＤＥＡ）、トリエタノールアミン（ＴＥＡ）などのアミンが挙げられる。
【００２３】
無機アルカリとしては、例えば、水酸化ナトリウム、水酸化カリウムなどの金属水酸化物、例えば、炭酸ナトリウム、炭酸カリウムなどの炭酸塩が挙げられる。
これらアルカリ剤は、単独使用または２種以上併用することができる。好ましくは、有機アルカリが挙げられ、さらに好ましくは、モノエタノールアミン（ＭＥＡ）が挙げられる。
【００２４】
本発明の塗装面用洗浄剤において、アルカリ剤の配合割合は、塗装面用洗浄剤に対して、例えば、０．１〜２．０重量％、好ましくは、０．３〜１．５重量％である。アルカリ剤の配合割合が１．５重量％以下であると、簡便に拭き取ることができ、０．３重量％以上であると、洗浄力を安定させることができる。
本発明の塗装面用洗浄剤は、上記したアルカリ剤を含有しているので、洗浄力が向上されている。
【００２５】
また、本発明の塗装面用洗浄剤には、水を含有させることもできる。
水の配合割合は、上記した各成分（グリセリン、グリコール、界面活性剤およびアルカリ剤）の残余の配合割合となる。
なお、本発明の塗装面用洗浄剤には、塗装面に影響を及ぼさない範囲において、上記した各成分の他に、金属封鎖剤、防腐剤、殺菌剤、増粘剤、着色剤、香料などの添加剤を添加することもできる。
【００２６】
金属封鎖剤としては、例えば、エチレンジアミン四酢酸（ＥＤＴＡ）、ジエチレントリアミン五酢酸（ＤＴＰＡ）、または、これらのナトリウム塩などの金属キレートが挙げられる。
防腐剤としては、例えば、窒素系有機化合物が挙げられ、このような窒素系有機化合物としては、市販されているものが用いられ、より具体的には、防腐剤ＯＢシリーズ（（株）パーマケム・アジア製）などが挙げられる。
【００２７】
これら添加剤は、適宜の配合割合で、単独または併用して、添加することができる。
そして、本発明の塗装面用洗浄剤は、上記した各成分を配合し、公知の方法により混合して、溶解または分散することにより、調製することができる。
そして、本発明の塗装面用洗浄剤を使用するには、例えば、汚れが付着している自動車などの車両の塗装面に、この塗装面用洗浄剤を、トリガースプレーにより噴霧する方法など、公知の方法により塗布して、布やスポンジなどの洗浄具（例えば、乾燥したタオルなど）で塗装面の汚れを拭き取ることにより、塗装面を洗浄する。
【００２８】
また、例えば、この塗装面用洗浄剤を、まず、布やスポンジなどに含浸させて、次いで、この塗装面用洗浄剤が含浸された布やスポンジなどにより、自動車などの車両の塗装面の汚れを、拭き取ることにより、塗装面を洗浄することもできる。
そして、本発明の塗装面用洗浄剤によれば、塗装面への影響を十分に低減することができる。つまり、塗装面用洗浄剤が塗装面に残存しても、塗装面にシミなどの汚れが付着しにくく、また、塗装面を剥離させるなど、損傷させるおそれも少ない。
【００２９】
そのため、布やスポンジなどによって拭き取った後に、水洗する必要がないので、塗装面を簡単に洗浄することができる。
とりわけ、本発明の塗装面用洗浄剤では、グリセリンと低粘度のグリコールとを含有しているので、布やスポンジなどと、塗装面との滑り性が優れている。そのため、作業者が広い面積を有する塗装面を洗浄する場合でも、簡単に拭き取ることができ、かつ、短時間で仕上げることができる。
【００３０】
従って、通常の塗装面用洗浄剤において含有されるシリコーンエマルジョンなどのオイルを含有する必要がない。そのため、本発明の塗装面用洗浄剤では、シリコーンエマルジョンに基づく残存物（オイル分）が付着（吸着）し易い親油性の汚れ、例えば、排気ガス中に含まれる水に不溶の成分（煤煙など）や、道路のアスファルト成分などを吸着しにくい。
【００３１】
しかも、本発明の塗装面用洗浄剤では、たとえ、拭き取り後に残存しても、上記したグリセリンと低粘度のグリコールとを含有しているので、降雨などの水で、簡単に洗い落とす（すすぐ）ことができる。
また、本発明の塗装面用洗浄剤は、洗浄力に優れている。とりわけ、車両の水垢汚れに対する洗浄力に優れている。そのため、清浄な塗装面を供することができる。
【００３２】
さらに、本発明の塗装面用洗浄剤では、グリセリンと低粘度のグリコールとを含有し、シリコーンエマルジョンを含有する必要がない。つまり、通常、シリコーンエマルジョンを含有する洗浄剤は、白濁し、また、場合によっては、シリコーンエマルジョンの液安定性を保つために、界面活性剤を余分に含有する必要がある。しかし、本発明の塗装面用洗浄剤では、白濁（濁り）が生じにくく、優れた透明性を確保することができ、また、余分な界面活性剤を含有する必要がない。その結果、本発明の塗装面用洗浄剤を、美観に優れた、商品価値の高い塗装面用洗浄剤として供することができる。
【実施例】
【００３３】
実施例１
グリセリン０．８重量部、プロピレングリコール１．０重量部、椰子脂肪酸モノエタノールアミン塩１．５重量部、モノエタノールアミン０．５重量部、水９５．９重量部、エチレンジアミン四酢酸四ナトリウム（金属封鎖剤）０．２重量部、窒素系有機化合物（防腐剤、ＯＢシリーズ、（株）パーマケム・アジア製）０．１重量部を配合して、混合して溶解することにより、塗装面用洗浄剤を得た。
【００３４】
実施例２
プロピレングリコール１．０重量部に代えて、ジエチレングリコール１．０重量部を用いた以外は、実施例１と同様にして、塗装面用洗浄剤を得た。
実施例３
プロピレングリコール１．０重量部に代えて、トリエチレングリコール１．０重量部を用いた以外は、実施例１と同様にして、塗装面用洗浄剤を得た。
【００３５】
実施例４
グリセリン０．８重量部に代えて、グリセリン２．０重量部を用い、水９５．９重量部に代えて、水９４．７重量部を用いた以外は、実施例１と同様にして、塗装面用洗浄剤を得た。
実施例５
グリセリン０．８重量部に代えて、グリセリン５．０重量部を用い、プロピレングリコール１．０重量部に代えて、プロピレングリコール８．０重量部を用い、水９５．９重量部に代えて、水８４．７重量部を用いた以外は、実施例１と同様にして、塗装面用洗浄剤を得た。
【００３６】
実施例６
椰子脂肪酸モノエタノールアミン塩１．５重量部に代えて、椰子脂肪酸ナトリウム塩１．５重量部を用い、モノエタノールアミン０．５重量部に代えて、水酸化ナトリウム０．１重量部を用い、水９５．９重量部に代えて、水９６．３重量部を用いた以外は、実施例１と同様にして、塗装面用洗浄剤を得た。
【００３７】
実施例７
椰子脂肪酸モノエタノールアミン塩１．５重量部に代えて、椰子脂肪酸モノエタノールアミン塩３．０重量部を用い、水９５．９重量部に代えて、水９４．４重量部を用いた以外は、実施例１と同様にして、塗装面用洗浄剤を得た。
比較例１
グリセリンを用いず、水９５．９重量部に代えて、水９６．７重量部を用いた以外は、実施例１と同様にして、塗装面用洗浄剤を得た。
【００３８】
比較例２
プロピレングリコールを用いず、水９５．９重量部に代えて、水９６．９重量部を用いた以外は、実施例１と同様にして、塗装面用洗浄剤を得た。
比較例３
グリセリン０．８重量部およびプロピレングリコール１．０重量部に代えて、シリコーンエマルジョン１．０重量部を用い、水９５．９重量部に代えて、水９６．７重量部を用いた以外は、実施例１と同様にして、塗装面用洗浄剤を得た。
【００３９】
（評価）
１）  塗装面への影響
各実施例および各比較例の塗装面用洗浄剤を、アクリルラッカー塗装板（鉄板にアクリルラッカーを塗布し乾燥したもの）に滴下し、５０℃で、４時間放置した後、水洗し、その後、塗装面の状態を目視により観察した。その結果を表１に示す。
【００４０】
なお、表１中、
◎は、異常がない
○は、目視の角度によっては、シミがわずかにある
△は、シミがわずかにある
×は、シミがはっきりとあるか、または、剥がれがあることを示す。
２）  滑り性
各実施例および各比較例の塗装面用洗浄剤を、汚れが付着している自動車の塗装面に、トリガースプレーにより塗布し、次いで、その塗装面の汚れを乾燥したタオルで拭き取ることにより、洗浄した。この拭き取りにおいて、滑り性を、タオルと塗装面と摩擦の程度で評価した。その結果を表１に示す。
【００４１】
なお、表１中、
◎は、摩擦をわずかに感じた
○は、摩擦を感じた
△は、摩擦を強く感じたことを示す。
３）  拭取時間（仕上げ易さ）
各実施例および各比較例の塗装面用洗浄剤を、汚れが付着している自動車の塗装面（縦６０ｃｍ、横４５ｃｍ）に、トリガースプレーにより塗布し、次いで、その塗装面の汚れを乾燥したタオルで拭き取って、仕上げることにより、洗浄した。この仕上げに要した時間を評価した。その結果を表１に示す。
【００４２】
なお、表１中、
◎は、１５秒未満で仕上げることができた
○は、１５秒以上２５秒未満で仕上げることができた
△は、２５秒以上３５秒未満で仕上げることができた
×は、３５秒以上で仕上げることができたことを示す。
４）  洗浄力
各実施例および各比較例の塗装面用洗浄剤を、汚れが付着している自動車の塗装面に、トリガースプレーにより塗布し、次いで、その塗装面の汚れを乾燥したタオルで拭き取ることにより、洗浄した。次いで、洗浄後の塗装面の汚れを、目視により観察した。その結果を表１に示す。なお、表１中、
◎は、汚れが残らなかった
○は、ほとんど汚れが残らなかったことを示す。
５）  透明性
各実施例および各比較例の塗装面用洗浄剤の透明性を目視により観察した。その結果を表１に示す。なお、表１中、
◎は、透明であった
×は、白濁（濁り）があったことを示す。
【００４３】
【表１】
2008184604.tif 000005